(57)【要約】【課題】長方形の浴槽本体の底面中央部の１箇所に設け、浴槽本体の内面全体に旋回流となった洗浄水を満遍なく噴射して効率的に洗浄可能とする浴槽洗浄ノズルを実現する。【解決手段】浴槽洗浄ノズル１は、本体部と、この本体部の内部に回転可能に嵌合された渦流発生用のノズルガイドとからなり、噴出口１１は楕円形状であり、しかも、楕円の長円方向Ｆは、一対の水抜き溝１２の長手方向Ｏ’に対して所定角度で形成し、浴槽２の洗浄ノズル１を浴槽２の底部６に固定する際に、一対の水抜き溝１２の長手方向を槽部３の長手方向に伸びる中心線Ｏの方向に取り付けることで、噴出口１１の楕円の長円方向が、槽部３の長手方向に伸びる中心線Ｏに対して旋回流の旋回方向から逆向きに所定角度ずれて浴槽２の底部６に固定可能とする【選択図】図５
2008237436.tif 000002
【特許請求の範囲】
【請求項１】
本体部と、本体部の内部に嵌合された旋回流発生用のノズルガイドとからなる浴槽洗浄ノズルであって、本体部の表面側に楕円形の噴出口と、水抜き溝が形成されており、水抜き溝の長手方向と噴出口の楕円の長円方向とが一致せず、旋回流の旋回方向から逆向きに所定角度ずれていることを特徴とする浴槽洗浄ノズル。
【請求項２】
請求項１記載の浴槽洗浄ノズルであって、水抜き溝の長手方向が浴槽の長手方向に略一致して浴槽の底部に取り付けられることを特徴とする浴槽洗浄ノズル。
【請求項３】
請求項１または２記載の浴槽洗浄ノズルを取り付けた浴槽であって、浴槽の底部の略中央位置に浴槽洗浄ノズルを１個取り付けたことを特徴とする浴槽。
【発明の詳細な説明】
【技術分野】
【０００１】
本発明は、浴槽洗浄ノズル及び浴槽に関し、特に噴出口が楕円形である洗浄ノズルにおいて、旋回流とは逆方向に傾けた水抜き溝を形成し、水抜き溝の方向を浴槽長手方向に合わせて位置決めして、底面に取り付け、浴槽全体を満遍なく洗浄可能とした浴槽洗浄ノズル及び浴槽に関する。
【背景技術】
【０００２】
従来、浴槽の底部に洗浄水の噴出するノズルを設け、この噴出ノズルから洗浄水を浴槽の内面に向けて噴射することで浴槽を洗浄するものは知られている。本出願人は、すでに洗浄浴槽において、噴出口が円形で、水切り溝を形成したノズルを浴槽底面に取り付け、浴槽を満遍なく洗浄可能とする浴槽洗浄ノズル及び浴槽を提案している（特許文献１参照）。
【０００３】
ところで、液体の噴射手段について、内燃機関の燃料噴出ノズルにおいて、噴出口を楕円形状とし、噴射方向を考慮して、旋回方向とは反対の方向にずらした位置を位置決めすることを示唆するものがある（特許文献２参照）。
【特許文献１】特許第３１７１１２７号公報
【特許文献２】特開２００３−２０６８２９号公報
【発明の開示】
【発明が解決しようとする課題】
【０００４】
特許文献１記載の浴槽洗浄ノズルは、旋回流を発生させながら浴槽に洗浄水を噴射するので、浴槽内面に付着した汚れ（油脂、角質等を含む）を効果的に洗浄できる。しかし、上記浴槽洗浄ノズルは、噴出口が円形であるために、長方形の浴槽本体の内面全体に洗浄水を噴霧し洗浄するためには、浴槽の長手方向に２〜３箇所に浴槽洗浄ノズルを設ける必要がある。
【０００５】
本願発明は、長方形の浴槽本体の底面中央部の１箇所に設けても、浴槽本体の内面全体に旋回流となった洗浄水を満遍なく浴槽洗浄ノズルから噴射して効率的に洗浄可能とする浴槽洗浄ノズル及び浴槽を実現することを課題とする。
【課題を解決するための手段】
【０００６】
本発明は上記課題を解決するために、本体部と、本体部の内部に嵌合された旋回流発生用のノズルガイドとからなる浴槽洗浄ノズルであって、本体部の表面側に楕円形の噴出口と、水抜き溝が形成されており、水抜き溝の長手方向と噴出口の楕円の長円方向とが一致せず、旋回流の旋回方向から逆向きに所定角度ずれていることを特徴とする浴槽洗浄ノズルを提供する。
【０００７】
上記浴槽洗浄ノズルは、水抜き溝の長手方向が浴槽の長手方向に略一致して浴槽の底部に取り付けられることが好ましい。
【０００８】
本発明は上記課題を解決するために、上記浴槽洗浄ノズルを取り付けた浴槽であって、浴槽の底部の略中央位置に、上記浴槽洗浄ノズルを１個取り付けたことを特徴とする浴槽を提供する。
【発明の効果】
【０００９】
本発明に係る浴槽洗浄ノズル及び浴槽によれば、次のような効果が生じる。
（１）浴槽洗浄ノズルの噴出口が楕円形であるから、長方形の浴槽本体の中央部に設置しても、浴槽本体の長手方向側の内面まで噴射可能となる。
【００１０】
（２）浴槽洗浄ノズルの噴出口の楕円の長円方向を、浴槽本体の長手方向の線からノズルガイドによる首部内での洗浄水の旋回流の旋回方向から逆向きに所定角度ずらしたので、浴槽本体の長手方向側の内面全体（最長手方向の端部の面、及びそれに対して連なるノズルガイドによる洗浄水の旋回方向の手前側の領域の面及び後方の面）を満遍なく洗浄可能とすることができる。
【発明を実施するための最良の形態】
【００１１】
本発明に係る洗浄ノズル及び浴槽を実施するための最良の形態を実施例に基づき図面を参照して、以下説明する。
【実施例１】
【００１２】
図１（ａ）は、本実施例の浴槽洗浄ノズル１を設けた浴槽２の平面図であり、図１（ｂ）、（ｃ）は、それぞれ図１（ａ）のＡ−Ａ断面図、Ｂ−Ｂ断面図である。この浴槽２の槽部３（窪んで入浴可能な部分）は、全体として平面視で略長方形であり、周縁部４で囲まれ、さらに外周にはフランジ５が水平に張り出すように形成されている。
【００１３】
槽部３には、平坦な底部６と、この底部６より上方に位置する腰掛け部７を備えている。底部６には、排水栓８が設けられている。槽部３の長手方向（図１（ａ）中の左右方向）かつ幅方向の略中心における底部６に浴槽洗浄ノズル１が１個設けられている。なお、図１（ａ）中、底部６、腰掛け部７等に記載されている多数の丸は、滑り止めのための凸部を表している。
【００１４】
図２（ａ）は、浴槽洗浄ノズル１を説明する図であり、浴槽洗浄ノズル１は、本体部９と、この本体部９の内部に回転可能に嵌合された旋回流（渦流）発生用のノズルガイド１０とからなる。本体部９の表面側（上面側）には、平面視で楕円形の噴出口１１と、一対の水抜き溝１２が形成されている。
【００１５】
より詳細には、本体部９は、図３（ａ）、（ｂ）に示すように、円筒部１３と、この円筒部１３から上方に向けて縮径する首部１４と、円形開口１５と、この円形開口１５に連続的に形成された楕円形の噴出口１１と、首部１４の上部に連成する皿形の頭部１６とを備えている。円筒部１３は、その外周にねじ１７が形成されている。                  
【００１６】
頭部１６には、噴出口１１を中心として取り囲むように、締め付け工具用の六角形の嵌込凹部１８が形成されている。この嵌込凹部１８に連成する一対の水抜き溝１２が、噴出口１１の中心から放射方向に向けて互いに対向するように形成されている。この一対の水抜き溝１２は、噴出口１１の周囲に水が溜まらないように水抜きとして機能するだけでなく、詳細は後記するが、浴槽洗浄ノズル１を浴槽２の底部６に取り付ける際の、噴出口１１の向きを設定しやすくするための位置決め用の目印としての機能も有する。
【００１７】
次に噴出口１１の構成について説明する。すでに本発明の課題の項で説明したとおり、浴槽洗浄ノズルの噴出口を従来のように円形にすると、浴槽２の長手方向の両端部の領域１９の内面を洗浄するためには、長手方向に複数の浴槽洗浄ノズルを設ける必要があった。そこで、本発明者らは、噴出口１１を楕円形状（図２（ｂ）に「比較例」として示す。）とすれば、浴槽２の長手方向に１つの浴槽洗浄ノズルを設けるだけで、浴槽２の長手方向の両端部の領域１９の内面まで洗浄水を噴射でき、洗浄するのに都合の良い構成であるという知見を得た。
【００１８】
さらに、詳細は本発明の作用の説明において説明するが、本発明者は、浴槽２の長手方向の両端部の領域１９の内面をむらなく十分に洗浄するためには、噴出口１１は楕円形状に形成するだけでなく、噴出口１１の中心を通り浴槽２の長手方向に伸びる中心線Ｏ（図１（ａ）参照）に対して、ノズルガイド１０により首部１４内で旋回流となる洗浄水の旋回方向から逆向きに所定角度ずれているように浴槽２の洗浄ノズル１を取り付けることのできる構成を想到した。
【００１９】
このように噴出口１１の楕円形状の長円の方向を槽部３の長手方向に対して所定の角度で簡単に固定できるようにするために、図３（ａ）に示すように、噴出口１１の楕円の長円方向が一対の水抜き溝１２の長手方向（直線Ｏ’に示す方向）に対して、所定角度（θ°）だけずれて形成されている。
【００２０】
この構成によって、洗浄ノズル１をノズル受け２６に螺着して浴槽２の底部６に固定する際に、一対の水抜き溝１２の長手方向Ｏ’を槽部３の長手方向、より詳細には、噴出口１１の中心を通り浴槽２の長手方向に伸びる中心線Ｏの方向を向くようにすれば、噴出口１１の楕円の長円方向が、浴槽２の長手方向に対して所定角度θ°だけずれるように固定することができる。    
【００２１】
要するに、本発明の特徴は、洗浄ノズル１の噴出口１１は、平面視で楕円形状であり、しかも、楕円の長円方向は、一対の水抜き溝１２の長手方向に対して所定角度θ°で形成してなる構成である。このような構成の浴槽２の洗浄ノズル１を、浴槽２の底部６に固定する際に、一対の水抜き溝１２の長手方向Ｏ’を槽部３の長手方向に伸びる中心線Ｏの方向に取り付ければ、噴出口１１の楕円の長円方向が、槽部３の長手方向に伸びる中心線に対して後記するノズルガイドにより首部１４内で洗浄水が旋回される旋回方向から逆向きに所定角度θ°ずれて浴槽２の底部６に固定可能となる構成にある。
【００２２】
渦流発生用のノズルガイド１０は、図３（ｃ）、（ｄ）に示すように、円板２０と、円板２０の周方向に等間隔をおいた位置から軸方向に沿って下方に突出する挿入ガイド用の４つの脚部２１とを備えており、円板２０の外周の等間隔をおいた４か所には軸方向から傾斜して渦流発生用の傾斜通水溝２２が形成されている。円板２０の軸心にも中央通水溝２３が形成されている。
【００２３】
このノズルガイド１０の傾斜通水溝２２を洗浄液が通過する際に、渦流となり、これが本体部９の円形開口１５及び噴出口１１から噴射され、浴槽２の内側の周壁へ勢いよく噴射され洗浄することができる。洗浄する湯水に洗剤を混ぜると、上記渦流とすることで湯水と洗剤とが効率的に混合される。また、洗浄液は、中央通水溝２３を通過して上方に噴出することができ、これによって浴槽２の蓋（図示せず）の内面を洗浄することもできる。
【００２４】
図４（ａ）、（ｂ）は、本発明に係る浴槽洗浄ノズル１を浴槽２の底部６に取り付けた取付構造を説明する図である。底部６の開口部２４には、開口部２４の内周縁を挟持するように環状のシール部材２５が装着される。そして、このシール部材２５に対して下方から当接するように、ノズル受け２６が配置される。
【００２５】
ノズル受け２６は、筒部２７、筒部２７から放射状に張り出したフランジ部２８及び吸込口２９を備えており、筒部２７の上部はシール部材２５内に嵌合されている。ノズル受け２６の内面には、浴槽洗浄ノズル１の円筒部１３の外周に形成されたねじ１７と螺合するねじ１７’が形成されている。   
【００２６】
浴槽洗浄ノズル１の本体部９を底部６の開口部２４からシール部材２５を介して挿入し、さらに、ノズル受け２６の筒部２７内にねじ込んで装着する。これにより、浴槽２の底部６の内周縁部を、本体部９の頭部１６とノズル受け２６のフランジ部２８によって、シール部材２５を介して挟持する構成となる。なお、浴槽２の底部６とノズル受け２６のフランジ部２８との間には、止水性の信頼性を向上させるためシール用のコーキング材３０が塗布されている。
【００２７】
（作用）
以上の構成からなる本発明の実施例に係る浴槽洗浄ノズル１の作用を説明し、本発明の特徴をより明確にする。洗浄水は、吸込口２９を通してノズル受け２６内に供給され、さらに、浴槽洗浄ノズル１の円筒部１３内を流れ、ノズルガイド１０を通過して噴出口１１から槽部３や浴槽の蓋等の内面に対して噴出する。
【００２８】
このような洗浄水の流れの過程において、図５（ａ）、（ｂ）に示すように、洗浄水がノズルガイド１０の傾斜通水溝２２を斜め上方への水流となって通過する。そして、洗浄水が傾斜通水溝２２を通過する際にの水流の噴射力によって、ノズルガイド１０は、浴槽洗浄ノズル１の円筒部１３の軸心線Ｃ−Ｃ（図２（ａ）参照）を中心に反時計針回り方向に回転する。
【００２９】
一方、傾斜通水溝２２から水流となって通過した洗浄水は、図５（ａ）、（ｃ）に示すように、首部１４内で時計針回りの旋回流となり、円形開口１５乃至噴出口１１に向けて流れる。さらに、洗浄水は、噴出口１１からその周囲に向けて直線的に噴射する。同時に、ノズルガイド１０の中央通水溝２３を通過した洗浄水は、円形開口１５を通過して噴出口１１から直上に向けて噴射される。
【００３０】
上記のとおりノズルガイド１０により首部１４内で噴出口１１に向けて旋回流となった洗浄水は、洗浄水内に洗剤混入されている場合は十分混合され、噴出口１１から槽部３の内面に噴射され、浴槽３の内面は効果的に洗浄される。また、ノズルガイド１０の中央通水溝２３から直上に噴射される洗浄水は、浴槽２の蓋に対して噴射され、浴槽２の蓋内面を洗浄することができる。
【００３１】
ここで、図６（ａ）に示すように、噴出口１１の向きを水抜き溝１２の長手方向Ｏ’と所定角度θ°ずらし、しかも水抜き溝１２の長手方向Ｏ’を槽部３の長手方向Ｏと一致させることで、噴出口１１の向きを槽部３の長手方向Ｏとθ°ずらして設置することができる。このように噴出口１１の向きが設置された構成による作用を、比較例と比較して、図２、図４〜図７を参照して説明する。
【００３２】
図２（ｂ）、図５（ｅ）及び図７（ａ）、（ｂ）に示すように、比較例では、浴槽洗浄ノズル１の噴出口１１の形状を、楕円形として、その長円方向（図中矢印Ｆの方向）を一対の水抜き溝１２の長手方向Ｏ’と一致させ、しかも、水抜き溝１２を噴出口１１の中心を通り槽部３の長手方向に伸びる中心線Ｏと一致させることで、浴槽洗浄ノズル１の噴出口１１の長円方向を槽部３の長手方向に伸びる中心線Ｏと一致させる構成とする。
【００３３】
このような比較例の構成では、洗浄水は、本願発明と同様に（図５（ａ）〜（ｃ）参照）、ノズルガイド１０によって噴出口１１に向けて時計針回りの旋回流となり、噴出口１１から周囲に向けて直線的に噴出する。本発明者らは研究開発の過程において、このようにして噴出口１１から噴出される洗浄水は、図７（ａ）に示すように、点線で示す領域３１に噴射されるという知見を得た。そのために、洗浄水は、槽部３の最長長手方向の端部３２の領域１９の内面まで噴射され洗浄が可能となる。なお、図７（ａ）の矢印Ｒで示す旋回方向は、首部１４内の洗浄水の旋回流の旋回方向である。
【００３４】
長手方向の端部３２の内面に連らなる領域３３、３４、より詳しくは、洗浄水の旋回方向と同じ側の角部の領域３３（旋回方向からすると後方の領域）及び逆側の角部の領域３４（旋回方向からすると手前側の領域）については、楕円の長円方向Ｆとずれて距離も長くなるので、この角部の領域３３、３４に対する洗浄水の噴射は、長手方向の端部３２の内面に較べて弱く、そのために、この角部の領域３３、３４は洗浄しにくい領域と考えられる。しかしながら、実際は上記のとおり、洗浄水は、図７（ａ）に示す点線で示す領域３１に噴射されるので、角部の領域３３は洗浄水が十分噴射されるが、図７（ｂ）に示すように、角部の領域３４は洗浄しにくい。その理由は次のとおりと考えられる。
【００３５】
図５（ａ）〜（ｃ）（この図面は本願発明も比較例も共通）に示すように、洗浄水は、首部１４内で時計針回りの旋回流となり、円形開口１５を通過し、噴出口１１からその周囲に向けて直線的に噴出するが、この噴出口１１から噴出する過程でも旋回流の勢いは残っており、洗浄水は噴出口１１の中心から放射方向に噴出するのではなく、ほぼ旋回放擲方向（旋回流の旋回円の接線方向）に向け直線的に噴射されるものと考えられる。これを本願発明については図５（ｄ）に示し、比較例では図５（ｅ）に示す。    
【００３６】
端部３２の内面に連らなる洗浄水の旋回方向と同じ側の角部の領域３３は、図７（ｂ）に示す（説明を簡単とするために、特に浴槽３の背もたれ側についてのみ示す。）ように、端部３２の内面から洗浄水の旋回方向（時計針回りの方向）に沿って右方向に湾曲するように形成されている。
【００３７】
しかも、上記旋回方向と同じ側の角部の領域３３は、旋回放擲方向に向け直線的に噴射される洗浄水の下流側に位置するから、端部３２内面に噴射した洗浄水は、角部の領域３３の内面にも噴射されやすく、手前の領域１９からの水流も流れ込みやすい。従って、端部３２の内面に連らなる洗浄水の旋回方向と同じ側の角部の領域３３は、洗浄水により十分洗浄が可能であるものと考えれる。
【００３８】
一方、図７（ｂ）に示すように、槽部３の長手方向の端部３２の内面の旋回方向とは逆側の角部の領域３４は、楕円の長円方向Ｆとはずれており距離も長くなり洗浄水は十分に噴射されにくい。それだけでなく、逆側の角部の領域３４に旋回方向手前側の隣接する浴槽２の長辺部３５に直線的に噴射する洗浄水は、旋回の下流側である逆側の角部の領域３４に噴射や流れ込みにくく、むしろ長辺部３５に噴射後、反射するかのようにして浴槽２内に落下しやすい。
【００３９】
そのために、逆側の角部の領域３４の旋回方向手前側の隣接する長辺部３５に噴射された洗浄水については、領域３３に対するような噴射や流れの現象、即ち、端部３２の内面に噴射した洗浄水が隣接する洗浄水の旋回方向と同じ側の角部の領域３３の内面にも噴射され、水流として流れるような現象は生じないものと考えられる。従って、逆側の角部の領域３４は十分洗浄されないという問題点が生じる。従って、図７（ａ）の点線で示すように洗浄領域が槽部３に対して、平面視であたかも傾いたような状態となる。
【００４０】
このような知見の下に、本発明者らは、本発明に係る浴槽洗浄ノズル１の噴出口１１を、図６（ａ）に示すように、楕円形状とし、しかも、楕円の長円方向Ｆは、一対の水抜き溝１２の長手方向Ｏ’と一致せず、θ°ずれた構成とする。そして、一対の水抜き溝１２の長手方向Ｏ’を位置決め用の目印として、これを噴出口１１の中心を通り槽部３の長手方向に伸びる中心線Ｏと一致するように、浴槽洗浄ノズル１の底部６に取り付け可能とする構成とした。
【００４１】
これにより、浴槽洗浄ノズル１の噴出口１１の中心を通り槽部３の長手方向Ｆを、槽部３の中心線Ｏと一致せず、この中心線Ｏに対して、首部１４内での洗浄水の旋回方向から逆向きに所定角度ずれて設置可能な構成としたのである。ここで、所定角度θ°は、槽部３の形状、寸法、噴射される洗浄水の流量等に応じて適宜設計する必要があるが、例えば、１５°のような角度に設定する。
【００４２】
このような構成にすると、浴槽洗浄ノズル１の噴出口１１の楕円の長円方向Ｆは、洗浄水の旋回方向と逆の角部の領域３４の方向にも向くので、洗浄水は逆の角部の領域３４の方向にも十分噴射し、図７（比較例）で示した洗浄しにくい領域３４も洗浄可能である。
【００４３】
さらに、長手方向の端部３２の領域１９及び洗浄水の旋回方向と同じ角部の領域３３についても、洗浄水の旋回方向の下流に位置するので、洗浄水が噴射され、流れ込みやすく、十分洗浄が行われる。これによって、図６（ａ）の点線３６で示す領域に対して洗浄水が噴射され、槽部３の内周面全体にわたって満遍なく均等に洗浄することができる。
【００４４】
以上、本発明に係る浴槽洗浄ノズル及び浴槽を実施するための最良の形態を実施例に基づいて説明したが、本発明はこのような実施例に限定されるものではなく、特許請求の範囲に記載された技術的事項の範囲内でいろいろな実施例があることは言うまでもない。例えば、浴槽に腰掛け部は特に必要なく、長方形状の浴槽であればよいということができる。
【産業上の利用可能性】
【００４５】
以上の構成から成る本発明に係る浴槽洗浄ノズルは、浴槽の洗浄だけでなく、産業用も含めて各種の分野においてに利用される略長方形の槽の浴槽洗浄ノズルとして適用可能である。
【図面の簡単な説明】
【００４６】
【図１】本発明係る浴槽洗浄ノズルが取り付けられる浴槽を説明する図であり、（ａ）は平面図であり、（ｂ）は（ａ）のＡ−Ａ断面図であり、（ｃ）は（ａ）のＢ−Ｂ断面図である。
【図２】（ａ）は本発明係る浴槽洗浄ノズルの実施例を説明する図で、浴槽洗浄ノズルの断面図であり、（ｂ）は浴槽洗浄ノズルの比較例の平面図を示す。
【図３】本発明係る浴槽洗浄ノズルの実施例を説明する図であり、（ａ）は浴槽洗浄ノズルの本体部の平面図であり、（ｂ）は（ａ）のＡ−Ａ断面図であり、（ｃ）はノズルガイドの平面図であり、（ｄ）はノズルガイドの側面図である。
【図４】本発明の実施例に係る浴槽洗浄ノズルを浴槽の底部に組み付けた取付構造を説明する図であり、（ａ）は平面図であり、（ｂ）は（ａ）のＡ−Ａ断面図である。
【図５】（ａ）〜（ｃ）は本発明及び比較例に係る浴槽洗浄ノズルの作用を説明する図であり、（ａ）は図２（ａ）の部分拡大図であり、（ｂ）はノズルガイドの作用を説明する平面図であり、（ｃ）は（ａ）のＡ−Ａ断面図であり、（ｄ）は噴射口から洗浄水を噴出する方向を説明する図図であり、（ｅ）は比較例における噴射口から洗浄水を噴出する方向を説明する図である。
【図６】本発明の実施例に係る浴槽洗浄ノズルの作用を説明する図である。
【図７】浴槽洗浄ノズルの比較例の作用を説明する図である。
【符号の説明】
【００４７】
１  浴槽洗浄ノズル                       
２  浴槽                                 
３  槽部                               
４  周縁部                               
５  フランジ                             
６  底部                                 
７  腰掛け部                             
８  排水栓                               
９  本体部                               
１０  ノズルガイド                       
１１  噴出口                             
１２  水抜き溝                           
１３  円筒部                             
１４  首部                               
１５  円形開口                           
１６  皿形の頭部                         
１７  円筒部外周のねじ
１７’  ノズル受け内面のねじ                   
１８  嵌込凹部                           
１９  浴槽の長手方向の両端部の領域     
２０  ノズルガイドの円板                 
２１  脚部                               
２２  傾斜通水溝                         
２３  中央通水溝                         
２４  底部の開口部                     
２５  シール部材                         
２６  ノズル受け                         
２７  ノズル受けは筒部               
２８  フランジ部                         
２９  吸込口                             
３０  コーキング材                       
３１  噴射水が噴射する周縁領域を示す点線で示す領域（比較例）          
３２  端部                               
３３  洗浄水の旋回方向と同じ方向の角部の領域
３４  洗浄水の旋回方向と逆方向の角部の領域                   
３５  浴槽の長辺部                     
３６  噴射水が満遍なく噴射する周縁領域を示す点線
Ｆ  噴射口の長円方向   
Ｏ  噴射口の中心を通り槽部の長手方向に延びる中心線
Ｏ’  一対の水抜き溝の方向（比較例）
【図１】
2008237436.tif 000003
【図２】
2008237436.tif 000004
【図３】
2008237436.tif 000005
【図４】
2008237436.tif 000006
【図５】
2008237436.tif 000007
【図６】
2008237436.tif 000008
【図７】
2008237436.tif 000009